(57)【要約】【課題】ユーザが予定通りに行動しなかった場合にも、より正確に撮像画像を予定に関連付けできる技術を提供する。【解決手段】情報処理装置において、第１取得部５６は、撮像画像の撮像位置を取得する。第２取得部５８は、ユーザから、訪問予定場所を含む予定情報を取得する。関連付け部６２は、撮像画像の撮像位置が訪問予定場所内または訪問予定場所付近である場合、当該撮像画像を当該訪問予定場所の予定情報に関連付ける。【選択図】図３
2020038507.tif 000002
【特許請求の範囲】
【請求項１】
撮像画像の撮像位置を取得する第１取得部と、
ユーザから、訪問予定場所を含む予定情報を取得する第２取得部と、
前記撮像画像の撮像位置が前記訪問予定場所内または前記訪問予定場所付近である場合、当該撮像画像を当該訪問予定場所の前記予定情報に関連付ける関連付け部と、
を備えることを特徴とする情報処理装置。
【請求項２】
前記第１取得部は、前記撮像画像の撮像日時を取得し、
前記予定情報は、前記訪問予定場所の滞在期間を含み、
前記関連付け部は、前記撮像画像の撮像位置が前記訪問予定場所内または前記訪問予定場所付近であり、かつ、当該撮像画像の撮像日時と当該訪問予定場所の滞在期間とが所定の関係にある場合、当該撮像画像を当該訪問予定場所の前記予定情報に関連付けることを特徴とする請求項１に記載の情報処理装置。
【請求項３】
出発地から前記訪問予定場所までの移動経路を含む移動予定情報を取得する第３取得部を備え、
前記関連付け部は、前記撮像画像の撮像位置が前記移動経路上または前記移動経路付近である場合、当該撮像画像を当該移動経路の前記移動予定情報に関連付けることを特徴とする請求項１または２に記載の情報処理装置。
【請求項４】
撮像画像の撮像位置を取得するステップと、
ユーザから、訪問予定場所を含む予定情報を取得するステップと、
前記撮像画像の撮像位置が前記訪問予定場所内または前記訪問予定場所付近である場合、当該撮像画像を当該訪問予定場所の前記予定情報に関連付けるステップと、
を備えることを特徴とする情報処理方法。
【請求項５】
撮像画像の撮像位置を取得するステップと、
ユーザから、訪問予定場所を含む予定情報を取得するステップと、
前記撮像画像の撮像位置が前記訪問予定場所内または前記訪問予定場所付近である場合、当該撮像画像を当該訪問予定場所の前記予定情報に関連付けるステップと、
をコンピュータに実行させることを特徴とするプログラム。
【発明の詳細な説明】
【技術分野】
【０００１】
本発明は、撮像された画像を整理する技術に関する。
【背景技術】
【０００２】
スマートフォンなどで撮像された複数の画像を自動的に整理したいという要望がある。特許文献１は、予定共有アプリケーションに登録された予定の開始から終了までの期間を取得し、予定の期間が経過した後、その期間内に撮像された画像データを取得し、取得した画像データでスライドショーを作成する情報処理装置を開示している。
【先行技術文献】
【特許文献】
【０００３】
【特許文献１】国際公開第２０１６／０３１４３１号
【発明の概要】
【発明が解決しようとする課題】
【０００４】
特許文献１の技術では、予定の期間が経過してもユーザが予定の場所に滞在していた場合、予定の期間が経過した後にこの場所で撮像された画像データは取得されない。また、予定の期間が経過する前にユーザが別の場所に移動した場合、別の場所で撮像された画像データも予定の場所で撮像された画像データと区別せずに取得されてしまう。このように特許文献１の技術では、ユーザが予定通りに行動しなかった場合、適切な画像データを取得することは困難である。
【０００５】
本発明はこうした状況に鑑みてなされたものであり、その目的は、ユーザが予定通りに行動しなかった場合にも、より正確に撮像画像を予定に関連付けできる情報処理装置、情報処理方法およびプログラムを提供することにある。
【課題を解決するための手段】
【０００６】
上記課題を解決するために、本発明のある態様の情報処理装置は、撮像画像の撮像位置を取得する第１取得部と、ユーザから、訪問予定場所を含む予定情報を取得する第２取得部と、前記撮像画像の撮像位置が前記訪問予定場所内または前記訪問予定場所付近である場合、当該撮像画像を当該訪問予定場所の前記予定情報に関連付ける関連付け部と、を備える。
【０００７】
この態様によると、撮像画像の撮像位置が訪問予定場所内または訪問予定場所付近である場合、当該撮像画像を当該訪問予定場所の予定情報に関連付けるので、ユーザが予定通りに行動しなかった場合にも、より正確に撮像画像を予定に関連付けできる。
【０００８】
前記第１取得部は、前記撮像画像の撮像日時を取得し、前記予定情報は、前記訪問予定場所の滞在期間を含んでもよい。前記関連付け部は、前記撮像画像の撮像位置が前記訪問予定場所内または前記訪問予定場所付近であり、かつ、当該撮像画像の撮像日時と当該訪問予定場所の滞在期間とが所定の関係にある場合、当該撮像画像を当該訪問予定場所の前記予定情報に関連付けてもよい。
【０００９】
前記情報処理装置は、出発地から前記訪問予定場所までの移動経路を含む移動予定情報を取得する第３取得部を備えてもよい。前記関連付け部は、前記撮像画像の撮像位置が前記移動経路上または前記移動経路付近である場合、当該撮像画像を当該移動経路の前記移動予定情報に関連付けてもよい。
【００１０】
本発明の別の態様は、情報処理方法である。この方法は、撮像画像の撮像位置を取得するステップと、ユーザから、訪問予定場所を含む予定情報を取得するステップと、前記撮像画像の撮像位置が前記訪問予定場所内または前記訪問予定場所付近である場合、当該撮像画像を当該訪問予定場所の前記予定情報に関連付けるステップと、を備える。
【発明の効果】
【００１１】
本発明によれば、ユーザが予定通りに行動しなかった場合にも、より正確に撮像画像を予定に関連付けできる。
【図面の簡単な説明】
【００１２】
【図１】実施の形態に係る情報処理システムの構成を示すブロック図である。
【図２】図１の端末装置の構成を示すブロック図である。
【図３】図１のサーバ装置の構成を示すブロック図である。
【図４】図２の端末装置の表示部に表示されたスケジュール画面の一例を示す図である。
【図５】図１のサーバ装置における撮像画像の関連付け処理を示すフローチャートである。
【発明を実施するための形態】
【００１３】
図１は、実施の形態に係る情報処理システム１の構成を示すブロック図である。情報処理システム１は、ユーザのスケジュールを管理するとともに、ユーザが撮像した画像をスケジュールにもとづいて整理するスケジュール管理システムと呼ぶこともできる。情報処理システム１は、それぞれ異なるユーザに利用される複数の端末装置１０と、サーバ装置２０とを備える。
【００１４】
端末装置１０は、たとえばユーザに携帯されるスマートフォン、携帯電話、タブレット端末などの携帯機器であり、撮像機能を有する。端末装置１０は、サーバ装置２０と無線通信を行う。無線通信の規格は特に限定されないが、例えば、３Ｇ（第３世代移動通信システム）、４Ｇ（第４世代移動通信システム）または５Ｇ（第５世代移動通信システム）を含む。端末装置１０は、図示しない基地局を介してサーバ装置２０と無線通信を行ってもよい。サーバ装置２０は、例えばデータセンターに設置され、端末装置１０から送信された情報を処理する情報処理装置として機能する。
【００１５】
実施の形態では、ユーザが端末装置１０を介してサーバ装置２０に訪問予定場所などの予定情報を登録した状態で、端末装置１０が画像を撮像すると、サーバ装置２０は、撮像画像の撮像位置に対応する訪問予定場所の予定情報に撮像画像を関連付ける。以下では、１．予定情報の登録処理、２．撮像画像の関連付け処理の順に説明する。
【００１６】
１．予定情報の登録処理
図２は、図１の端末装置１０の構成を示すブロック図である。端末装置１０は、通信部３０と、処理部３２と、記憶部３４と、受付部３６と、表示部３８と、カメラ４０と、ＧＰＳ受信部４２とを備える。受付部３６は、ユーザから予定情報の入力を複数受け付ける。予定情報は、予定内容と、訪問予定場所と、訪問予定場所の滞在期間とを含む。訪問予定場所の滞在期間の始点は、予定日時であり、滞在期間の終点は、予定の終了日時である。ユーザは、これらの情報を表示部３８に表示されたスケジュール画面に入力することが想定される。受付部３６は、予定情報を処理部３２に出力するとともに記憶部３４に記憶する。
【００１７】
たとえば、ユーザが訪問予定場所として「ＡＢＣ大学」と端末装置１０に文字で入力すると、端末装置１０は訪問予定場所を特定できるように「ＡＢＣ大学  Ｘ１キャンパス」、「ＡＢＣ大学  Ｘ２キャンパス」などの複数の訪問予定場所の候補を表示し、ユーザは候補の中から訪問予定場所を選択してもよい。あるいは、訪問予定場所は表示された地図から指定できてもよい。
【００１８】
処理部３２は、入力された予定情報を、通信部３０を介してサーバ装置２０へ送信する。送信される予定情報には、ユーザＩＤなどのユーザを識別するための情報（以下、ユーザ識別情報と呼ぶ）が添付される。
【００１９】
図３は、図１のサーバ装置２０の構成を示すブロック図である。サーバ装置２０は、通信部５０と、処理部５２と、記憶部５４とを備える。処理部５２は、第１取得部５６と、第２取得部５８と、第３取得部６０と、関連付け部６２とを備える。
【００２０】
処理部５２の構成は、ハードウエア的には、任意のコンピュータのＣＰＵ、メモリ、その他のＬＳＩで実現でき、ソフトウエア的にはメモリにロードされたプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００２１】
通信部５０は、端末装置１０と無線通信を行う。通信部５０は、端末装置１０から予定情報を受信する。通信部５０は、予定情報を第２取得部５８へ出力する。
【００２２】
第２取得部５８は、通信部５０で受信された予定情報を取得する。これは、第２取得部５８がユーザから予定情報を取得することに相当する。第２取得部５８は、取得した予定情報を第３取得部６０に出力するとともに記憶部５４に記憶する。
【００２３】
第３取得部６０は、第２取得部５８から出力された各予定情報に関して、予定日時までに訪問予定場所に到着するための移動予定情報を取得する。具体的には第３取得部６０は、予定日時までに訪問予定場所に到着するように、移動手段、出発地から訪問予定場所までの移動期間、出発地から訪問予定場所までの移動経路、および、移動に要する料金を決定する。移動期間の始点は、出発地の出発予定日時であり、移動期間の終点は、訪問予定場所への到着予定日時である。移動手段は、自動車、電車、バス、徒歩などを含む。このとき、同じ日の直前の予定情報の訪問予定場所が出発地とみなされ、その予定情報の終了日時以降に出発予定日時が決定される。同じ日に直前の予定情報が存在しない場合、予め設定された自宅が出発地とみなされる。第３取得部６０は、１日の最後の予定情報の終了日時に出発して、自宅に到着するための移動予定情報も取得する。自宅に替えてホテルなどの宿泊施設が設定されてもよい。
【００２４】
第３取得部６０は、たとえば最短の移動時間となる移動手段、移動経路などを決定する。出発予定日時等の決定には、周知の技術を用いることができる。第３取得部６０は、決定された移動手段、移動期間、移動経路および料金を移動予定情報として取得する。第３取得部６０は、取得した移動予定情報を記憶部５４に記憶するとともに通信部５０へ出力する。通信部５０は、移動予定情報を端末装置１０へ送信する。記憶および送信される情報には、ユーザ識別情報が添付される。
【００２５】
図２に戻る。端末装置１０において、通信部３０は、通信部５０から送信された移動予定情報を受信し、処理部３２に出力する。処理部３２は、ユーザが入力した予定情報に関する情報に加え、移動予定情報に関する情報も文字と画像でスケジュール画面として表示部３８に表示させる。
【００２６】
受付部３６が受け付けるユーザの操作入力に応じて、表示された移動手段を変更できてもよい。移動手段が変更された場合、端末装置１０の通信部３０は新たな移動手段の情報をサーバ装置２０に送信し、第３取得部６０が新たな移動手段による新たな移動予定情報を取得し、取得した新たな移動予定情報を端末装置１０に表示させる。
【００２７】
図４は、図２の端末装置１０の表示部３８に表示されたスケジュール画面の一例を示す図である。スケジュール画面は、１日のスケジュールを表し、移動予定情報に関する情報１００，１０２，１０４，１０６と、予定情報に関する情報１１０，１１２，１１４とを含む。これらの情報は、時間軸に沿って表示される。
【００２８】
移動予定情報に関する情報１００は、サーバ装置２０から送信されたものであり、自宅の出発予定日時の時刻が９時であり、「ＡＡ城」への到着予定日時の時刻が１０時であり、移動手段が自動車であることを示す。所定の操作入力に応じて、非表示の移動経路と料金も表示されうる。
【００２９】
予定情報に関する情報１１０は、ユーザが入力したものであり、予定日時の時刻が１０時であり、終了日時の時刻が１２時であり、訪問予定場所が「ＡＡ城」であり、予定内容が「ＡＡ城を見る」であることを示す。
【００３０】
移動予定情報に関する情報１０２は、「ＡＡ城」の出発予定日時の時刻が１２時であり、「ＢＢ店」への到着予定日時の時刻が１３時３０分であり、移動手段が自動車であることを示す。
【００３１】
予定情報に関する情報１１２は、予定日時の時刻が１３時３０分であり、終了日時の時刻が１５時であり、訪問予定場所が「ＢＢ店」であり、予定内容が「ＢＢ店でランチ」であることを示す。
【００３２】
移動予定情報に関する情報１０４は、「ＢＢ店」の出発予定日時の時刻が１５時であり、「ＣＣ高原」への到着予定日時の時刻が１６時であり、移動手段が自動車であることを示す。
【００３３】
予定情報に関する情報１１４は、予定日時の時刻が１６時であり、終了日時の時刻が１８時であり、訪問予定場所および予定内容は「ＣＣ高原」であることを示す。
【００３４】
移動予定情報に関する情報１０６は、「ＣＣ高原」の出発予定日時の時刻が１８時であり、自宅への到着予定日時の時刻が１９時であり、移動手段が自動車であることを示す。
【００３５】
２．撮像画像の関連付け処理
図２と図３を参照して説明する。端末装置１０において、カメラ４０は、画像を撮像し、撮像画像を処理部３２に出力する。カメラ４０から撮像画像を取得した場合、処理部３２は、撮像画像の撮像日時を取得するとともに、ＧＰＳ受信部４２により導出した撮像画像の撮像位置を取得する。処理部３２は、撮像画像を記憶部３４に記憶する。処理部３２は、撮像画像に撮像位置情報を埋め込まない。
【００３６】
処理部３２は、撮像画像を識別するための画像識別情報、当該撮像画像の撮像日時、および、当該撮像画像の撮像位置を、通信部３０を介して定期的にサーバ装置２０へ送信する。同一の撮像画像に関するこれらの情報は、関連付けられている。通信部３０は、撮像画像が取得される毎に、これらの情報を送信してもよい。送信される情報には、ユーザ識別情報が添付される。
【００３７】
サーバ装置２０において、通信部５０は、端末装置１０から送信された情報を受信し、受信した情報を第１取得部５６へ出力する。
【００３８】
第１取得部５６は、画像識別情報、撮像画像の撮像位置、および、撮像画像の撮像日時を取得し、取得した情報を関連付け部６２に出力する。第１取得部５６は、取得した情報に添付されたユーザ識別情報を第２取得部５８と第３取得部６０に出力する。
【００３９】
第２取得部５８は、第１取得部５６から出力されたユーザ識別情報に対応する予定情報を記憶部５４から取得し、取得した情報を関連付け部６２に出力する。
【００４０】
第３取得部６０は、第１取得部５６から出力されたユーザ識別情報に対応する移動予定情報を記憶部５４から取得し、取得した情報を関連付け部６２に出力する。
【００４１】
関連付け部６２は、撮像画像の撮像位置が予定情報の訪問予定場所内または訪問予定場所付近であり、かつ、当該撮像画像の撮像日時と当該訪問予定場所の滞在期間とが所定の第１の関係にある場合、当該撮像画像を当該訪問予定場所の予定情報に関連付ける。撮像画像を予定情報に関連付けることは、画像識別情報を予定情報に関連付けることに相当する。関連付け部６２は、撮像画像の撮像日時に最も近い予定日時または終了日時の予定情報に、撮像画像を関連付ける。つまり１つの撮像画像は、１つの予定情報に関連付けられうる。
【００４２】
関連付け部６２は、撮像画像の撮像位置が訪問予定場所内または訪問予定場所付近でない場合、当該撮像画像を当該訪問予定場所の予定情報に関連付けない。関連付け部６２は、撮像画像の撮像日時と訪問予定場所の滞在期間とが所定の第１の関係にない場合、当該撮像画像を当該訪問予定場所の予定情報に関連付けない。
【００４３】
訪問予定場所付近とは、訪問予定場所を表す領域から所定の第１距離内を表す。第１距離は、訪問予定場所を表す領域の外から撮像した訪問予定場所の撮像画像も関連付けされるよう、実験などにより適宜定めることができる。第１距離は、訪問予定場所毎に設定されてもよい。
【００４４】
所定の第１の関係は、撮像日時が訪問予定場所の滞在期間に含まれること、または、撮像日時と、訪問予定場所の滞在期間の予定日時もしくは終了日時とが所定期間内にあることである。所定期間は、たとえば１週間前後であってもよく、実験などにより適宜定めることができる。所定期間はユーザが設定できてもよい。たとえば１日の複数の訪問予定場所の訪問順序が、登録された訪問順序とは異なる場合にも、撮像画像を対応する訪問予定場所の予定情報に関連付けることができる。なお、登録された予定情報とは異なる行動がなされても、予定情報は変更されない。
【００４５】
関連付け部６２は、撮像画像の撮像位置が移動経路上または移動経路付近であり、かつ、当該撮像画像の撮像日時と当該移動経路の移動期間とが所定の第２の関係にある場合、当該撮像画像を当該移動経路の移動予定情報に関連付ける。関連付け部６２は、撮像画像の撮像日時に最も近い出発予定日時または到着予定日時の移動予定情報に、撮像画像を関連付ける。つまり１つの撮像画像は、１つの移動予定情報に関連付けられうる。撮像画像は、予定情報に関連付けられた場合には、移動予定情報には関連付けられない。
【００４６】
関連付け部６２は、撮像画像の撮像位置が移動経路上または移動経路付近でない場合、当該撮像画像を当該移動経路の移動予定情報に関連付けない。関連付け部６２は、撮像画像の撮像日時と移動経路の移動期間とが所定の第２の関係にない場合、当該撮像画像を当該移動経路の移動予定情報に関連付けない。
【００４７】
移動経路付近とは、移動経路から所定の第２距離内を表す。第２距離も実験などにより適宜定めることができる。所定の第２の関係は、撮像日時が移動経路の移動期間に含まれていること、または、撮像日時と、移動経路の移動期間の出発予定日時もしくは到着終了日時とが所定期間内にあることである。
【００４８】
関連付け部６２は、画像識別情報と予定情報または移動予定情報との関連付け情報を通信部５０へ出力し、通信部５０が関連付け情報を端末装置１０へ送信する。送信される関連付け情報には、ユーザ識別情報が添付される。
【００４９】
端末装置１０において、通信部３０は、通信部５０から送信された関連付け情報を受信する。処理部３２は、受信した関連付け情報にもとづいて、予定情報毎に、当該予定情報に関連付けられた撮像画像を含むフォルダを作成し、移動予定情報毎に、当該移動予定情報に関連付けられた撮像画像を含むフォルダを作成する。作成されたフォルダには、たとえば「８月２０日、ＡＡ城」のように予定情報の日付と訪問予定場所が表示されてもよい。また作成されたフォルダには、たとえば「８月２０日、国道ＸＸ号線沿いの風景」のように移動予定情報の日付と移動経路に関する情報が表示されてもよい。作成されたフォルダの内容は、ファイル管理アプリなどを用いて表示できる。
【００５０】
スケジュール画面に表示された予定情報または移動予定情報の選択操作を受付部３６がユーザから受け付けると、処理部３２は、選択操作を受け付けた予定情報または移動予定情報に関するフォルダの内容を表示部３８に表示させる。スケジュール画面の予定情報等をもとに所望のフォルダの内容を容易に表示させることができ、利便性を高めることができる。
【００５１】
処理部３２は、地図アプリを実行することで、関連付け情報にもとづいて、地図上の訪問予定場所または移動経路に、当該訪問予定場所または移動経路に関連付けられた撮像画像の存在を示すアイコンを表示させることもできる。アイコンの選択操作を受付部３６がユーザから受け付けると、処理部３２は、選択操作を受け付けたアイコンに関するフォルダの内容を表示部３８に表示させる。地図上のアイコンをもとに所望のフォルダの内容を容易に表示させることができ、利便性を高めることができる。
【００５２】
予定情報と移動予定情報は、一緒に行動する予定の別のユーザの端末装置１０と共有することもできる。この場合、別のユーザを指定する操作を受付部３６がユーザから受け付けると、処理部３２は、そのユーザと共有している予定情報と移動予定情報に関連付けられた撮像画像のフォルダの内容を表示部３８に表示させる。所望のユーザに関連するフォルダの内容を容易に表示させることができ、利便性を高めることができる。
【００５３】
次に、以上の構成による情報処理システム１の全体的な動作を説明する。図５は、図１のサーバ装置２０における撮像画像の関連付け処理を示すフローチャートである。図５の処理は、通信部５０が端末装置１０から画像識別情報などを受信する毎に行われる。
【００５４】
第１取得部５６は、撮像画像の画像識別情報、撮像位置および撮像日時を取得する（Ｓ１０）。第２取得部５８は予定情報を取得する（Ｓ１２）。関連付け可能な予定情報が存在すれば（Ｓ１４のＹ）、関連付け部６２は、撮像画像を予定情報に関連付け（Ｓ１６）、処理を終了する。
【００５５】
関連付け可能な予定情報が存在しなければ（Ｓ１４のＮ）、第３取得部６０は、移動予定情報を取得する（Ｓ１８）。関連付け可能な移動予定情報が存在すれば（Ｓ２０のＹ）、関連付け部６２は、撮像画像を移動予定情報に関連付け（Ｓ２２）、処理を終了する。関連付け可能な移動予定情報が存在しなければ（Ｓ２０のＮ）、処理を終了する。
【００５６】
本実施の形態によれば、予定情報の滞在期間とは異なる期間に訪問予定場所に滞在するなどユーザが予定通りに行動しなかった場合にも、より正確に撮像画像を予定に関連付けできる。移動中に撮像した撮像画像も移動予定に関連付けできる。よって、ユーザの利便性を向上できる。また、撮像画像のデータに撮像位置情報を埋め込まないので、撮像画像を取得した第三者に撮像位置を特定されにくくすることもできる。
【００５７】
以上、実施の形態をもとに本発明を説明した。実施の形態はあくまでも例示であり、各構成要素や各処理プロセスの組合せにいろいろな変形例が可能なこと、またそうした変形例も本発明の範囲にあることは当業者に理解されるところである。
【００５８】
たとえば関連付け部６２は、所定の第１の関係を用いずに、撮像画像の撮像位置が訪問予定場所内または訪問予定場所付近である場合、当該撮像画像を当該訪問予定場所の予定情報に関連付けてもよい。関連付け部６２は、所定の第２の関係を用いずに、撮像画像の撮像位置が移動経路上または移動経路付近である場合、当該撮像画像を当該移動経路の移動予定情報に関連付けてもよい。この変形例では、処理を簡素化できる。
【００５９】
実施の形態では、撮像画像の撮像日時と訪問予定場所の滞在期間とが所定の第１の関係にない場合、関連付けを実行しない例を説明したが、この場合にも、撮像位置が訪問予定場所内または訪問予定場所付近であり、訪問予定場所の滞在期間が撮像日時より後であれば、関連付け部６２は仮の関連付けを実行してもよい。たとえば、１ヶ月先に訪問予定場所が「ＡＡ城」である予定情報が存在する状況で、ユーザが「ＡＡ城」に下見に行き画像を撮像した場合、関連付け部６２は、この撮像画像を訪問予定場所「ＡＡ城」の予定情報に仮に関連付ける。この予定情報の滞在期間が過ぎるまでは、サーバ装置２０は仮の関連付け情報を端末装置１０に送信せず、この予定情報に関するフォルダは端末装置１０に作成されず、ユーザは仮に関連付けされたことを認識できない。
【００６０】
１ヶ月後、ユーザが予定情報の通り「ＡＡ城」に行った場合、関連付け部６２は、仮の関連付け情報を削除する。これにより、このときの撮像画像と下見での撮像画像が同じフォルダに格納されないようにでき、両者を区別しにくくなることを抑制できる。一方、１ヶ月後、ユーザが予定情報と異なり「ＡＡ城」に行かなかった場合、予定情報をもとに下見での撮像画像を表示できると利便性が高い可能性がある。そこで、「ＡＡ城」の予定情報の滞在期間が過ぎた場合、関連付け部６２は、仮の関連付け情報を関連付け情報として確定し、確定した関連付け情報を端末装置１０へ送信する。端末装置１０は、この予定情報に関して、下見での撮像画像を含むフォルダを作成する。よって、「ＡＡ城」の予定情報の滞在期間が過ぎた後、ユーザはこのフォルダを表示可能になる。この変形例では、ユーザの利便性をさらに向上できる。
【００６１】
実施の形態では、第１取得部５６、第２取得部５８、第３取得部６０、関連付け部６２が、サーバ装置２０に搭載される例を説明したが、これらは端末装置１０の処理部３２に備えられてもよい。この場合、第１取得部５６は、撮像画像の画像識別情報などを取得し、第２取得部５８は、ユーザが入力した予定情報を取得する。サーバ装置２０は移動予定情報を決定する。第３取得部６０は、サーバ装置２０から移動予定情報を取得し、関連付け部６２は関連付けを行う。この場合、端末装置１０が情報処理装置として機能する。この変形例では、サーバ装置２０の構成を簡素化でき、情報処理システム１の構成の自由度を向上できる。
【符号の説明】
【００６２】
１…情報処理システム、１０…端末装置、２０…サーバ装置、５６…第１取得部、５８…第２取得部、６０…第３取得部、６２…関連付け部。
【図１】
2020038507.tif 000003
【図２】
2020038507.tif 000004
【図３】
2020038507.tif 000005
【図４】
2020038507.tif 000006
【図５】
2020038507.tif 000007